(57)【要約】【課題】第１周波数帯域の信号（例えば、ＶＨＦ信号）を受信するアンテナと第２周波数帯域の信号（例えば、ＵＨＦ信号）を受信するアンテナとを有するアンテナ装置及び当該アンテナ装置を備えたアンテナシステムにおいて、アンテナ装置の小型化及び簡略化を図る。【解決手段】ＶＨＦ信号の受信に際して指向性が固定されたＶＨＦアンテナ１２と、ＵＨＦ信号の受信に際して指向性の切り替えが可能なＵＨＦアンテナ１３と、ユーザによって選局されたチャンネルに対応するＴＶ放送信号がＶＨＦ信号であるか或いはＵＨＦ信号であるかを判定する判定プログラム１１１３ｂを実行したＣＰＵ１１１１と、ＶＨＦ信号であると判定された場合にはＶＨＦアンテナ１２を選択し、ＵＨＦ信号であると判定された場合にはＵＨＦアンテナ１３を選択する選択プログラム１１１３ｃを実行したＣＰＵ１１１１と、を備えるよう構成した。【選択図】図１
2007266714.tif 000002
【特許請求の範囲】
【請求項１】
アンテナ装置と受信機とが接続されたアンテナシステムにおいて、
前記アンテナ装置は、
テレビジョン放送信号のうちの第１周波数帯域の信号の受信に際して指向性が固定された第１アンテナと、
前記第１アンテナが着脱自在に取り付けられ、テレビジョン放送信号のうちの第２周波数帯域の信号の受信に際して指向性の切り替えが可能な第２アンテナと、
前記受信機からチャンネル情報を取得する取得手段と、
前記取得手段により取得されたチャンネル情報に含まれるチャンネル番号に対応するテレビジョン放送信号が第１周波数帯域の信号であるか或いは第２周波数帯域の信号であるかを判定する判定手段と、
前記判定手段により、前記取得手段により取得されたチャンネル情報に含まれるチャンネル番号に対応するテレビジョン放送信号が第１周波数帯域の信号であると判定された場合には、当該テレビジョン放送信号を受信するアンテナとして第１アンテナを選択し、前記取得手段により取得されたチャンネル情報に含まれるチャンネル番号に対応するテレビジョン放送信号が第２周波数帯域の信号であると判定された場合には、当該テレビジョン放送信号を受信するアンテナとして第２アンテナを選択する選択手段と、
前記選択手段により第２アンテナが選択された場合、前記取得手段により取得されたチャンネル情報に含まれる方向情報に基づいて、第２アンテナの指向性を切り替える切替手段と、を備え、
前記受信機は、
前記アンテナ装置に、前記チャンネル情報を送信する送信手段を備えることを特徴とするアンテナシステム。
【請求項２】
テレビジョン放送信号のうちの第１周波数帯域の信号の受信に際して指向性が固定された第１アンテナと、
テレビジョン放送信号のうちの第２周波数帯域の信号の受信に際して指向性の切り替えが可能な第２アンテナと、
選局されたチャンネルに対応するテレビジョン放送信号が第１周波数帯域の信号であるか或いは第２周波数帯域の信号であるかを判定する判定手段と、
前記判定手段により、前記選局されたチャンネルに対応するテレビジョン放送信号が第１周波数帯域の信号であると判定された場合には、当該テレビジョン放送信号を受信するアンテナとして第１アンテナを選択し、前記選局されたチャンネルに対応するテレビジョン放送信号が第２周波数帯域の信号であると判定された場合には、当該テレビジョン放送信号を受信するアンテナとして第２アンテナを選択する選択手段と、
を備えることを特徴とするアンテナ装置。
【請求項３】
請求項２に記載のアンテナ装置において、
前記第１アンテナは、前記第２アンテナに着脱自在であることを特徴とするアンテナ装置。
【発明の詳細な説明】
【技術分野】
【０００１】
本発明は、アンテナ装置及びアンテナシステムに関する。
【背景技術】
【０００２】
従来、アンテナシステムによるテレビジョン放送信号（以下、「ＴＶ放送信号」という。）の受信に際してアンテナが最適受信方向を向くように、例えば、視聴者が、表示部に表示された画像を参照しながら、当該アンテナの向き等を調整していた。しかしながら、この調整方法は非常に煩雑であるという問題があった。そこで、例えば、ＴＶ放送信号の受信状況を表示できるインジケータを備え、当該インジケータにより表示される受信状況を参照しながらアンテナの向き等を手動で調整することができるアンテナシステム（例えば、特許文献１参照。）や、視聴者により要求があった時に、アンテナの向き等を自動で調整することができるアンテナシステム（例えば、特許文献２参照。）などが提案された。
【０００３】
さらに、視聴者により所望のチャンネルが指定される度に、自動的に指向性を切り替えることができるアンテナ（通称、「スマートアンテナ」という。）を有するアンテナ装置と、テレビジョン受像機と、を備えたアンテナシステムも提案されている。具体的には、例えば、アンテナ装置は、テレビジョン受像機によってEIA/CEA-909等の所定の規格に基づいて制御されて、スマートアンテナの指向性等を切り替えるようになっている。
【特許文献１】特開２００１−９４８９９号公報
【特許文献２】特開２００１−８６０１９号公報
【発明の開示】
【発明が解決しようとする課題】
【０００４】
ところで、ＴＶ放送信号は、周波数帯域によって、第１周波数帯域（例えば、ＶＨＦ帯域）の信号（以下、「ＶＨＦ信号」という。）と、第２周波数帯域（例えば、ＵＨＦ帯域）の信号（以下、「ＵＨＦ信号」という。）とに分けることができ、ＶＨＦ信号受信用のアンテナとＵＨＦ信号受信用のアンテナとでは構成が大きく異なる。したがって、例えば、上述したスマートアンテナを、ＶＨＦ信号とＵＨＦ信号の両方を受信可能な構成にしようとすると、当該スマートアンテナが大型化してしまうという問題がある。
一方で、スマートアンテナに多数の指向性の方向が設けられているのは、ＴＶ放送信号を送出する送信塔が点在して設置された場合等に対応するためであるが、近年のアナログ放送からデジタル放送への移行に伴ってＶＨＦ帯域による放送は縮小されており、今後、ＶＨＦ信号がより多方向から送出される可能性は少ない。すなわち、ＶＨＦ信号を受信するに際してアンテナの指向性を切り替える必要性は少なく、ＶＨＦ信号とＵＨＦ信号の両方が受信可能なアンテナにおいては、少なくともＵＨＦ信号を受信する際に指向性が切り替えられれば十分である。
【０００５】
本発明の課題は、第１周波数帯域の信号を受信するアンテナと第２周波数帯域の信号を受信するアンテナとを有するアンテナ装置及び当該アンテナ装置を備えたアンテナシステムにおいて、アンテナ装置の小型化及び簡略化を図ることである。
【課題を解決するための手段】
【０００６】
上記課題を解決するために、請求項１に記載の発明は、
アンテナ装置と受信機とが接続されたアンテナシステムにおいて、
前記アンテナ装置は、
テレビジョン放送信号のうちの第１周波数帯域の信号の受信に際して指向性が固定された第１アンテナと、
前記第１アンテナが着脱自在に取り付けられ、テレビジョン放送信号のうちの第２周波数帯域の信号の受信に際して指向性の切り替えが可能な第２アンテナと、
前記受信機からチャンネル情報を取得する取得手段と、
前記取得手段により取得されたチャンネル情報に含まれるチャンネル番号に対応するテレビジョン放送信号が第１周波数帯域の信号であるか或いは第２周波数帯域の信号であるかを判定する判定手段と、
前記判定手段により、前記取得手段により取得されたチャンネル情報に含まれるチャンネル番号に対応するテレビジョン放送信号が第１周波数帯域の信号であると判定された場合には、当該テレビジョン放送信号を受信するアンテナとして第１アンテナを選択し、前記取得手段により取得されたチャンネル情報に含まれるチャンネル番号に対応するテレビジョン放送信号が第２周波数帯域の信号であると判定された場合には、当該テレビジョン放送信号を受信するアンテナとして第２アンテナを選択する選択手段と、
前記選択手段により第２アンテナが選択された場合、前記取得手段により取得されたチャンネル情報に含まれる方向情報に基づいて、第２アンテナの指向性を切り替える切替手段と、を備え、
前記受信機は、
前記アンテナ装置に、前記チャンネル情報を送信する送信手段を備えることを特徴とする。
【０００７】
請求項２に記載の発明は、
アンテナ装置において、
テレビジョン放送信号のうちの第１周波数帯域の信号の受信に際して指向性が固定された第１アンテナと、
テレビジョン放送信号のうちの第２周波数帯域の信号の受信に際して指向性の切り替えが可能な第２アンテナと、
選局されたチャンネルに対応するテレビジョン放送信号が第１周波数帯域の信号であるか或いは第２周波数帯域の信号であるかを判定する判定手段と、
前記判定手段により、前記選局されたチャンネルに対応するテレビジョン放送信号が第１周波数帯域の信号であると判定された場合には、当該テレビジョン放送信号を受信するアンテナとして第１アンテナを選択し、前記選局されたチャンネルに対応するテレビジョン放送信号が第２周波数帯域の信号であると判定された場合には、当該テレビジョン放送信号を受信するアンテナとして第２アンテナを選択する選択手段と、
を備えることを特徴とする。
【０００８】
請求項３に記載の発明は、
請求項２に記載のアンテナ装置において、
前記第１アンテナは、前記第２アンテナに着脱自在であることを特徴とする。
【発明の効果】
【０００９】
請求項１に記載の発明によれば、テレビジョン放送信号のうちの第１周波数帯域の信号の受信に際して指向性が固定された第１アンテナと、テレビジョン放送信号のうちの第２周波数帯域の信号の受信に際して指向性の切り替えが可能な第２アンテナと、を備えている。したがって、例えば、アンテナを第１周波数帯域の信号（例えば、ＶＨＦ信号）の受信に際して指向性の切り替えが可能な構成にすると、第２周波数帯域の信号（例えば、ＵＨＦ信号）の受信に際して指向性の切り替えが可能な構成にする場合と比較して、アンテナを大きくする必要があるが、第１アンテナのように、第１周波数帯域の信号（例えば、ＶＨＦ信号）の受信に際して指向性が固定されていれば、アンテナを大きくする必要が無くなるため、アンテナシステムに備えられたアンテナ装置の小型化及び簡略化を図ることができる。
【００１０】
また、アンテナ装置は、取得手段によって、受信機からチャンネル情報を取得することができ、判定手段によって、取得手段により取得されたチャンネル情報に含まれるチャンネル番号に対応するテレビジョン放送信号が第１周波数帯域の信号であるか或いは第２周波数帯域の信号であるかを判定することができ、選択手段によって、判定手段により、取得手段により取得されたチャンネル情報に含まれるチャンネル番号に対応するテレビジョン放送信号が第１周波数帯域の信号であると判定された場合には、当該テレビジョン放送信号を受信するアンテナとして第１アンテナを選択し、取得手段により取得されたチャンネル情報に含まれるチャンネル番号に対応するテレビジョン放送信号が第２周波数帯域の信号であると判定された場合には、当該テレビジョン放送信号を受信するアンテナとして第２アンテナを選択することができ、切替手段によって、選択手段により第２アンテナが選択された場合、取得手段により取得されたチャンネル情報に含まれる方向情報に基づいて、第２アンテナの指向性を切り替えることができ、受信機は、送信手段によって、アンテナ装置に、チャンネル情報を送信することができる。すなわち、アンテナ装置は効率的に制御されている。
【００１１】
また、第１アンテナは、第２アンテナに着脱自在であるため、アンテナ装置から第１アンテナを取り外すことが可能となって、アンテナシステムに備えられたアンテナ装置のより一層の小型化を図ることができる。
【００１２】
請求項２に記載の発明によれば、テレビジョン放送信号のうちの第１周波数帯域の信号の受信に際して指向性が固定された第１アンテナと、テレビジョン放送信号のうちの第２周波数帯域の信号の受信に際して指向性の切り替えが可能な第２アンテナと、を備えている。したがって、例えば、アンテナを第１周波数帯域の信号（例えば、ＶＨＦ信号）の受信に際して指向性の切り替えが可能な構成にすると、第２周波数帯域の信号（例えば、ＵＨＦ信号）の受信に際して指向性の切り替えが可能な構成にする場合と比較して、アンテナを大きくする必要があるが、第１アンテナのように、第１周波数帯域の信号（例えば、ＶＨＦ信号）の受信に際して指向性が固定されていれば、アンテナを大きくする必要がなくなるため、アンテナ装置の小型化及び簡略化を図ることができる。
【００１３】
また、判定手段によって、選局されたチャンネルに対応するテレビジョン放送信号が第１周波数帯域の信号であるか或いは第２周波数帯域の信号であるかを判定することができ、選択手段によって、判定手段により、選局されたチャンネルに対応するテレビジョン放送信号が第１周波数帯域の信号であると判定された場合には、当該テレビジョン放送信号を受信するアンテナとして第１アンテナを選択し、選局されたチャンネルに対応するテレビジョン放送信号が第２周波数帯域の信号であると判定された場合には、当該テレビジョン放送信号を受信するアンテナとして第２アンテナを選択することができる。すなわち、アンテナ装置は効率的に制御されている。
【００１４】
請求項３に記載の発明によれば、請求項２に記載の発明と同様の効果が得られることは無論のこと、第１アンテナは、第２アンテナに着脱自在であるため、アンテナ装置から第１アンテナを取り外すことが可能となって、アンテナ装置のより一層の小型化を図ることができる。
【発明を実施するための最良の形態】
【００１５】
以下、図を参照して、本発明にかかるアンテナ装置及び当該アンテナ装置を備えたアンテナシステムの最良の形態を詳細に説明する。なお、発明の範囲は、図示例に限定されない。
【００１６】
＜アンテナシステムの構成＞
まず、アンテナシステム１００の構成について、図１を参照して説明する。
アンテナシステム１００は、例えば、アンテナ装置１と、アンテナ装置１を接続した受信機としてのテレビジョン受像機３と、などを備えて構成される。
アンテナ装置１とテレビジョン受像機３は、例えば、所定の通信方式（例えば、EIA/CEA-909等）に基づいた通信を行うためのインターフェイス（以下、「９０９インターフェイス」という）を介して接続されている。
また、アンテナ装置１は、例えば、テレビジョン放送信号（以下、「ＴＶ放送信号」という。）を受信するようになっており、テレビジョン受像機３は、例えば、アンテナ装置１により受信されたＴＶ放送信号に基づく音声や画像を出力するようになっている。
【００１７】
＜アンテナ装置の構成＞
次に、アンテナ装置１の構成について、図１を参照して説明する。
アンテナ装置１は、例えば、９０９インターフェイス１０と、アンテナコントローラ１１と、ＴＶ放送信号のうちの第１周波数帯域の信号（例えば、ＶＨＦ信号）の受信に際して指向性が固定された第１アンテナとしてのＶＨＦアンテナ１２と、ＴＶ放送信号のうちの第２周波数帯域の信号（例えば、ＵＨＦ信号）の受信に際して指向性の切り替えが可能な第２アンテナとしてのＵＨＦアンテナ１３と、などを備えて構成される。
ＶＨＦアンテナ１２とＵＨＦアンテナ１３とは、例えば、図２に示すように、着脱自在に連結されている。
【００１８】
９０９インターフェイス１０は、例えば、テレビジョン受像機３の９０９インターフェイス３１（後述）と接続しており、テレビジョン受像機３の９０９インターフェイス３１（後述）と所定の通信方式（例えば、EIA/CEA-909等）に基づいた通信を行って、テレビジョン受像機３からアンテナ装置１を制御するためのチャンネル情報（後述）等を受信して、アンテナコントローラ１１に出力する。
【００１９】
アンテナコントローラ１１は、例えば、制御部１１１と、切替部１１２と、などを備えている。
【００２０】
制御部１１１は、例えば、ＣＰＵ（Central Processing Unit）１１１１と、ＲＡＭ（Random Access Memory）１１１２と、ＲＯＭ（Read Only Memory）１１１３と、などを備えている。
【００２１】
ＣＰＵ１１１１は、ＲＯＭ１１１３に記憶されたアンテナコントローラ１１用の各種処理プログラムに従って各種の制御動作を行う。
【００２２】
ＲＡＭ１１１２は、ＣＰＵ１１１１によって実行される処理プログラムなどを展開するためのプログラム格納領域や、入力データや上記処理プログラムが実行される際に生じる処理結果などを格納するデータ格納領域などを備える。
【００２３】
ＲＯＭ１１１３は、アンテナコントローラ１１で実行可能なシステムプログラム、当該システムプログラムで実行可能な各種処理プログラム、これら各種処理プログラムを実行する際に使用されるデータ、ＣＰＵ１１１１によって演算処理された処理結果のデータなどを記憶する。なお、プログラムは、コンピュータが読み取り可能なプログラムコードの形でＲＯＭ１１１３に記憶されている。
具体的には、ＲＯＭ１１１３には、例えば、取得プログラム１１１３ａと、判定プログラム１１１３ｂと、選択プログラム１１１３ｃと、などが記憶されている。
【００２４】
取得プログラム１１１３ａは、例えば、テレビジョン受像機３の９０９インターフェイス３１（後述）から送信されたチャンネル情報を取得する機能を、ＣＰＵ１１１１に実現させる。
ＣＰＵ１１１１は、かかる取得プログラム１１１３ａを実行することによって、取得手段として機能する。
【００２５】
ここで、チャンネル情報とは、例えば、ユーザによって選局されたチャンネル（仮想チャンネル）に応じた情報であり、例えば、物理チャンネル番号と、アンテナの指向性の方向に関する方向情報と、アンテナのゲインに関するゲイン情報と、などを含む情報である。
具体的には、物理チャンネル番号は、例えば、判定プログラム１１１３ｂを実行したＣＰＵ１１１１によって使用される情報である。
また、方向情報は、例えば、切替部１１２によって使用される情報である。
また、ゲイン情報は、例えば、ＶＨＦアンテナ１２やＵＨＦアンテナ１３によって使用される情報である。
【００２６】
判定プログラム１１１３ｂは、例えば、取得プログラム１１１３ａを実行したＣＰＵ１１１１により取得されたチャンネル情報に含まれるチャンネル番号としての物理チャンネル番号に対応するＴＶ放送信号がＶＨＦ信号であるか或いはＵＨＦ信号であるかを判定する機能、すなわち、ユーザによって選局されたチャンネルに対応するＴＶ放送信号がＶＨＦ信号であるか或いはＵＨＦ信号であるかを判定する機能を、ＣＰＵ１１１１に実現させる。
ここで、物理チャンネル番号は、例えば、ＴＶ放送信号が存在する周波数帯域の周波数値に対応するように付与されたものであり、物理チャンネル番号が大きいＴＶ放送信号ほど、周波数値が大きい周波数帯域に存在する。また、ＶＨＦ信号と比較して、ＵＨＦ信号は周波数値が大きい周波数帯域に存在する。したがって、ＴＶ放送信号が、ＶＨＦ信号であるか或いはＵＨＦ信号であるかは、物理チャンネル番号によって判定することができる。
具体的には、ＣＰＵ１１１１は、例えば、取得プログラム１１１３ａを実行したＣＰＵ１１１１により取得されたチャンネル情報に含まれる物理チャンネル番号が、所定の値（以下、「α」という。）以下の場合はＴＶ放送信号がＶＨＦ信号であると判定し、「α」より大きい場合はＴＶ放送信号がＵＨＦ信号であると判定する。
ＣＰＵ１１１１は、かかる判定プログラム１１１３ｂを実行することによって、判定手段として機能する。
【００２７】
選択プログラム１１１３ｃは、例えば、判定プログラム１１１３ｂを実行したＣＰＵ１１１１により、取得プログラム１１１３ａを実行したＣＰＵ１１１１により取得されたチャンネル情報に含まれる物理チャンネル番号に対応するＴＶ放送信号がＶＨＦ信号であると判定された場合には、当該ＴＶ放送信号を受信するアンテナとしてＶＨＦアンテナ１２を選択し、取得プログラム１１１３ａを実行したＣＰＵ１１１１により取得されたチャンネル情報に含まれる物理チャンネル番号に対応するＴＶ放送信号がＵＨＦ信号であると判定された場合には、当該ＴＶ放送信号を受信するアンテナとしてＵＨＦアンテナ１３を選択する機能、すなわち、判定プログラム１１１３ｂを実行したＣＰＵ１１１１により、ユーザによって選局されたチャンネルに対応するＴＶ放送信号がＶＨＦ信号であると判定された場合には、当該ＴＶ放送信号を受信するアンテナとしてＶＨＦアンテナ１２を選択し、ユーザによって選局されたチャンネルに対応するＴＶ放送信号がＵＨＦ信号であると判定された場合には、当該ＴＶ放送信号を受信するアンテナとしてＵＨＦアンテナ１３を選択する機能を、ＣＰＵ１１１１に実現させる。
ＣＰＵ１１１１は、かかる選択プログラム１１１３ｃを実行することによって、選択手段として機能する。
【００２８】
切替部１１２は、例えば、切替手段として、制御部１１１から入力される制御信号に従って、選択プログラム１１１３ｃを実行したＣＰＵ１１１１によりＵＨＦアンテナ１３が選択された場合、取得プログラム１１１３ａを実行したＣＰＵ１１１１により取得されたチャンネル情報に含まれる方向情報に基づいて、ＵＨＦアンテナ１３の指向性を切り替える。
【００２９】
ＶＨＦアンテナ１２は、例えば、放送局の送信塔等から送出されるＴＶ放送信号のうちのＶＨＦ信号の受信が可能となるよう構成されたアンテナである。
具体的には、ＶＨＦアンテナ１２は、例えば、図２に示すように、いわゆるラビットアンテナであり、ＵＨＦアンテナ１３に着脱自在に取り付けられている。
【００３０】
ＶＨＦアンテナ１２は、例えば、テレビジョン受像機３のチューナ３２と接続されており、選択プログラム１１１３ｃを実行したＣＰＵ１１１１によりＶＨＦアンテナ１２が選択されると、ＴＶ放送信号（ＶＨＦ信号）を受信する。
【００３１】
ＵＨＦアンテナ１３は、例えば、放送局の送信塔等から送出されるＴＶ放送信号のうちのＵＨＦ信号の受信が可能となるよう構成されたアンテナである。
具体的には、ＵＨＦアンテナ１３は、例えば、いわゆるスマートアンテナであるため、複数の指向性の方向（例えば、１６方向）を有し、切替部１１２により当該複数の方向のうちの一方向に指向性が切り替えられると、当該一方向からのＴＶ放送信号に、他方向からのＴＶ放送信号よりも大きな感度を示すようになっている。
【００３２】
ＵＨＦアンテナ１３は、例えば、テレビジョン受像機３のチューナ３２と接続されており、選択プログラム１１１３ｃを実行したＣＰＵ１１１１によりＵＨＦアンテナ１３が選択されて、切替部１１２により指向性が切り替えられると、ＴＶ放送信号（ＵＨＦ信号）を受信する。
【００３３】
具体的には、ＶＨＦアンテナ１２及びＵＨＦアンテナ１３は、例えば、ＴＶ放送信号を受信すると、当該ＴＶ放送信号に、例えば、取得プログラム１１１３ａを実行したＣＰＵ１１１１により取得されたチャンネル情報に含まれるゲイン情報に基づくゲインで増幅する等のゲインコントロール処理を施し、そして、チューナ３２に、当該ＴＶ放送信号（具体的には、ＲＦ（Radio Frequency）信号）を出力する。
【００３４】
なお、ＶＨＦアンテナ１２は、受信感度がＶＨＦ帯域向けになっているだけであって、ＵＨＦ信号が受信できないわけではない。
同様に、ＵＨＦアンテナ１３は、受信感度がＵＨＦ帯域向けになっているだけであって、ＶＨＦ信号が受信できないわけではない。したがって、例えば、ＶＨＦアンテナ１２が取り外されている際には、アンテナ装置１は、例えば、自動もしくは手動でＶＨＦアンテナ１２が取り外されている状態を認識して、選局されたチャンネルに対応するＴＶ放送信号がＶＨＦ信号である場合には、当該ＶＨＦ信号をＵＨＦアンテナ１３で受信するようにしてもよい。
【００３５】
＜テレビジョン受像機の構成＞
次に、テレビジョン受像機３の構成について、図１を参照して説明する。
テレビジョン受像機３は、例えば、９０９インターフェイス３１と、チューナ３２と、フロントエンド３３と、デコーダ３４と、ＯＳＤ回路３７と、リモコン受信部３８と、記憶部３９と、制御部４０と、などを備えて構成される。各部は、バス３０により接続されている。
また、テレビジョン受像機３は、例えば、デコーダ３４に接続された音声出力部３５や画像表示部３６を備えている。
また、テレビジョン受像機３は、例えば、リモコン受信部３８と通信可能なテレビジョン受像機３用のリモートコントローラ３８１（以下、「リモコン３８１」という。）を備えている。
【００３６】
９０９インターフェイス３１は、例えば、アンテナ装置１の９０９インターフェイス１０と接続しており、例えば、制御部４０から入力される制御信号に従って、アンテナ装置１の９０９インターフェイス１０と所定の通信方式（例えば、EIA/CEA-909等）に基づいた通信を行って、アンテナ装置１にアンテナ装置１を制御するためのチャンネル情報等を送信する。
【００３７】
チューナ３２は、例えば、アンテナ装置１のＶＨＦアンテナ１２やＵＨＦアンテナ１３と接続されており、例えば、制御部４０から入力される制御信号に従って、ＶＨＦアンテナ１２やＵＨＦアンテナ１３から出力されたＴＶ放送信号の中から一のチャンネル（ユーザによって選局されたチャンネル）に対応するＴＶ放送信号を取得して、フロントエンド３３に出力する。
【００３８】
フロントエンド３３は、例えば、制御部４０から入力される制御信号に従って、チューナ３２から出力されたＴＶ放送信号を中間周波信号に変換して、デコーダ３４に出力する。
【００３９】
デコーダ３４は、例えば、制御部４０から入力される制御信号に従って、フロントエンド３３から出力されたＴＶ放送信号に対して所定のファイル形式（例えば、ＭＰＥＧ−２（Moving Picture Experts Group phase 2）形式等）に応じた処理を施すことによって、当該ＴＶ放送信号を音声信号と画像信号とに分離してデコードする。そして、当該デコードした音声信号を音声出力部３５に出力するとともに、画像信号を画像表示部３６に出力する。
【００４０】
音声出力部３５は、例えば、スピーカ機器等であり、デコーダ３４から出力された音声信号に基づく音声データに応じた音声を出力する。
【００４１】
画像表示部３６は、例えば、液晶表示機器等であり、デコーダ３４から出力された画像信号に基づく画像データに応じた画像や、デコーダ３４から出力され、ＯＳＤ回路３７によりＯＳＤ表示信号（後述）が合成された画像信号に基づく画像データに応じた画像を表示する。
【００４２】
ＯＳＤ回路１７は、例えば、制御部４０から入力される制御信号に従って、画像表示部３６に所定のＯＳＤ表示（オンスクリーンディスプレイ表示）をさせるためのＯＳＤ表示信号を、デコーダ３４から画像表示部３６に出力される画像信号に合成する。
【００４３】
リモコン受信部３８は、例えば、リモコン３８１から送信された各種信号を受信し、当該各種信号に基づく各種データを、制御部４０に出力する。
【００４４】
リモコン３８１は、例えば、ユーザによって操作され、当該操作に応じた信号をリモコン受信部３８に送信する。
具体的には、リモコン３８１は、例えば、選局するチャンネルを指定する際に操作される、チャンネルキーやチャンネルアップ／ダウンキーなどを有する。
【００４５】
記憶部３９は、例えば、磁気的記憶媒体、光学的記憶媒体、若しくは半導体メモリで構成されている。
具体的には、記憶部３９には、チャンネルマップ３９１等が記憶されている。
【００４６】
チャンネルマップ３９１は、例えば、チャンネル情報等を記憶している。
具体的には、チャンネルマップ３９１は、例えば、リモコン３８１のチャンネルキーやチャンネルアップ／ダウンキーに割り当てられた仮想チャンネル番号と、物理チャンネル番号と、アンテナの指向性の方向に関する方向情報と、アンテナのゲインに関するゲイン情報と、などを対応付けて記憶している。
チャンネルマップ３９１に記憶される情報は、例えば、アンテナシステム１００の初期設定処理において決定されて、チャンネルマップ３９１に記憶されるようになっている。
【００４７】
制御部４０は、例えば、ＣＰＵ４０１と、ＲＡＭ４０２と、ＲＯＭ４０３と、などを備えている。
【００４８】
ＣＰＵ４０１は、ＲＯＭ４０３に記憶されたテレビジョン受像機３用の各種処理プログラムに従って、各種の制御動作を行う。
【００４９】
ＲＡＭ４０２は、ＣＰＵ４０１によって実行される処理プログラムなどを展開するためのプログラム格納領域や、入力データや上記処理プログラムが実行される際に生じる処理結果などを格納するデータ格納領域などを備える。
【００５０】
ＲＯＭ４０３は、テレビジョン受像機３で実行可能なシステムプログラム、当該システムプログラムで実行可能な各種処理プログラム、これら各種処理プログラムを実行する際に使用されるデータ、ＣＰＵ４０１によって演算処理された各種結果のデータなどを記憶する。なお、プログラムは、コンピュータが読み取り可能なプログラムコードの形でＲＯＭ４０３に記憶されている。
具体的には、ＲＯＭ４０３は、例えば、送信プログラム４０３ａ等を記憶している。
【００５１】
送信プログラム４０３ａは、例えば、９０９インターフェイス３１を介して、アンテナ装置１に、チャンネル情報を送信する機能を、ＣＰＵ４０１に実現させる。
具体的には、ＣＰＵ４０１は、例えば、ユーザによるリモコン３８１のチャンネルキーやチャンネルアップ／ダウンキーの操作等によって一のチャンネルが選局されると、当該一のチャンネルのチャンネル番号（仮想チャンネル番号）に対応するチャンネル情報（物理チャンネル番号、方向情報、ゲイン情報など）を、記憶部３９のチャンネルマップ３９１から取得して、９０９インターフェイス３１を介して、アンテナ装置１のアンテナコントローラ１１に送信する。
ＣＰＵ４０１は、かかる送信プログラム４０３ａを実行することによって、送信手段として機能する。
【００５２】
＜チャンネル分析処理＞
次に、アンテナ装置１によるチャンネルの分析に関する処理について、図３のフローチャートを参照して説明する。
【００５３】
まず、アンテナ装置１が有するアンテナコントローラ１１のＣＰＵ１１１１は、取得プログラム１１１３ａを実行したＣＰＵ１１１１が、テレビジョン受像機３から送信されたチャンネル情報を取得したか否かを判断する（ステップＳ１）。
【００５４】
ステップＳ１で、チャンネル情報を取得していないと判断すると（ステップＳ１；Ｎｏ）、ＣＰＵ１１１１は、ステップＳ１の処理を繰り返して行う。
【００５５】
一方、ステップＳ１で、チャンネル情報を取得したと判断すると（ステップＳ１；Ｙｅｓ）、ＣＰＵ１１１１は、判定プログラム１１１３ｂを実行して、当該取得したチャンネル情報に含まれる物理チャンネル番号が「α」よりも大きいか否かを判定する（ステップＳ２）。
【００５６】
ステップＳ２で、物理チャンネル番号が「α」よりも大きくないと判定すると（ステップＳ２；Ｎｏ）、すなわち、当該物理チャンネル番号に対応するＴＶ放送信号がＶＨＦ信号であると判定すると、ＣＰＵ１１１１は、選択プログラム１１１３ｃを実行して、当該ＴＶ放送信号を受信するアンテナとしてＶＨＦアンテナ１２を選択し（ステップＳ３）、ステップＳ６の処理に移行する。
【００５７】
一方、ステップＳ２で、物理チャンネル番号が「α」よりも大きいと判定すると（ステップＳ２；Ｙｅｓ）、すなわち、当該物理チャンネル番号に対応するＴＶ放送信号がＵＨＦ信号であると判定すると、ＣＰＵ１１１１は、選択プログラム１１１３ｃを実行して、当該ＴＶ放送信号を受信するアンテナとしてＵＨＦアンテナ１３を選択し（ステップＳ４）、ステップＳ１で取得したチャンネル情報に含まれる方向情報に基づいて、切替部１１２を介して、ＵＨＦアンテナ１３の指向性を切り替えて（ステップＳ５）、ステップＳ６の処理に移行する。
【００５８】
次いで、ＣＰＵ１１１１は、ＶＨＦアンテナ１２又はＵＨＦアンテナ１３を制御して、ＶＨＦアンテナ１２又はＵＨＦアンテナ１３により受信されたＴＶ放送信号に、ステップＳ１で取得したチャンネル情報に含まれるゲイン情報に基づくゲインで増幅する等のゲインコントロール処理を施して（ステップＳ６）、ステップＳ１以降の処理を繰り返して行う。
【００５９】
以上説明した本発明のアンテナ装置１及びアンテナ装置１を備えたアンテナシステム１００によれば、ＴＶ放送信号のうちのＶＨＦ信号の受信に際して指向性が固定されたＶＨＦアンテナ１２と、ＴＶ放送信号のうちのＵＨＦ信号の受信に際して指向性の切り替えが可能なＵＨＦアンテナ１３と、を備えている。
したがって、例えば、アンテナをＶＨＦ信号の受信に際して指向性の切り替えが可能な構成にすると、ＵＨＦ信号の受信に際して指向性の切り替えが可能な構成にする場合と比較して、アンテナを大きくする必要があるが、ＶＨＦアンテナ１２のように、ＶＨＦ信号の受信に際して指向性が固定されていれば、アンテナを大きくする必要が無くなるため、アンテナシステム１００に備えられたアンテナ装置１の小型化及び簡略化を図ることができる。
【００６０】
また、アンテナ装置１は、取得プログラム１１１３ａを実行したＣＰＵ１１１１によって、テレビジョン受像機３からチャンネル情報を取得することができ、判定プログラム１１１３ｂを実行したＣＰＵ１１１１によって、取得プログラム１１１３ａを実行したＣＰＵ１１１１により取得されたチャンネル情報に含まれる物理チャンネル番号に対応するＴＶ放送信号がＶＨＦ信号であるか或いはＵＨＦ信号であるかを判定することができ、選択プログラム１１１３ｃを実行したＣＰＵ１１１１によって、判定プログラム１１１３ｂを実行したＣＰＵ１１１１により、取得プログラム１１１３ａを実行したＣＰＵ１１１１により取得されたチャンネル情報に含まれる物理チャンネル番号に対応するＴＶ放送信号がＶＨＦ信号であると判定された場合には、当該ＴＶ放送信号を受信するアンテナとしてＶＨＦアンテナ１２を選択し、取得プログラム１１１３ａを実行したＣＰＵ１１１１により取得されたチャンネル情報に含まれる物理チャンネル番号に対応するＴＶ放送信号がＵＨＦ信号であると判定された場合には、当該ＴＶ放送信号を受信するアンテナとしてＵＨＦアンテナ１３を選択することができ、切替部１１２によって、選択プログラム１１１３ｃによりＵＨＦアンテナ１３が選択された場合、取得プログラム１１１３ａを実行したＣＰＵ１１１１により取得されたチャンネル情報に含まれる方向情報に基づいて、ＵＨＦアンテナ１３の指向性を切り替えることができ、テレビジョン受像機３は、送信プログラム４０３ａを実行したＣＰＵ４０１によって、９０９インターフェイス３１を介して、アンテナ装置１に、チャンネル情報を送信することができる。すなわち、アンテナ装置１は、テレビジョン受像機３によって効率的に制御されている。
【００６１】
また、ＶＨＦアンテナ１２は、ＵＨＦアンテナ１３に着脱自在であるため、アンテナ装置１からＶＨＦアンテナ１２を取り外すことが可能となって、アンテナシステム１００に備えられたアンテナ装置１のより一層の小型化を図ることができる。
【００６２】
なお、本発明は、上記した実施の形態のものに限るものではなく、その要旨を逸脱しない範囲で適宜変更可能である。
【図面の簡単な説明】
【００６３】
【図１】本発明にかかるアンテナシステムの機能的構成を示すブロック図である。
【図２】図１に示したアンテナ本体部の要部構成を示す図である。
【図３】本発明にかかるアンテナ装置によるチャンネルの分析に関する処理を説明するためのフローチャートである。
【符号の説明】
【００６４】
１  アンテナ装置
１２  ＶＨＦアンテナ（第１アンテナ）
１３  ＵＨＦアンテナ（第２アンテナ）
１１２  切替部（切替手段）
１１１１  ＣＰＵ（取得手段、判定手段、選択手段）
１１１３ａ  取得プログラム（取得手段）
１１１３ｂ  判定プログラム（判定手段）
１１１３ｃ  選択プログラム（選択手段）
３  テレビジョン受像機（受信機）
４０１  ＣＰＵ（送信手段）
４０３ａ  送信プログラム（送信手段）
１００  アンテナシステム
【図１】
2007266714.tif 000003
【図２】
2007266714.tif 000004
【図３】
2007266714.tif 000005